(57)【要約】【課題】周波数維持機能が動作しない可能性を加味して分散電源の導入を行うことができる系統運用支援装置を提供する。【解決手段】電力系統への分散電源の導入を支援するための系統運用支援装置であって、予め規定されたケースが発生したときの電力系統における母線の電圧分布を示すケース時電圧分布と、予め規定された分散電源の連系要件を示す分散電源グリッドコードとに基づいて、各ケースにおいて各分散電源が脱落するか否かを判定する分散電源評価部と、分散電源評価部により判定された結果を出力する出力部と、を備えるようにした。【選択図】図１
2020028184.tif 000002
【特許請求の範囲】
【請求項１】
電力系統への分散電源の導入を支援するための系統運用支援装置であって、
予め規定されたケースが発生したときの前記電力系統における母線の電圧分布を示すケース時電圧分布と、予め規定された分散電源の連系要件を示す分散電源グリッドコードとに基づいて、各ケースにおいて各分散電源が脱落するか否かを判定する分散電源評価部と、
前記分散電源評価部により判定された結果を出力する出力部と、
を備えることを特徴とする系統運用支援装置。
【請求項２】
前記分散電源評価部は、各分散電源について、脱落しないケースの割合をケース時接続確立として算出する、
ことを特徴とする請求項１に記載の系統運用支援装置。
【請求項３】
前記分散電源グリッドコードには、運転点の有効電力を変動可能な比率を示す有効電力変動可能比率と、運転点の有効電力を増加することができる時間を示す有効電力増加時間と、ケースが発生したときの分散電源の運転継続性能を示す運転継続性能情報とが含まれ、
前記分散電源評価部は、前記有効電力変動可能比率に前記電力系統の状態を示す系統状態データを適用して有効電力変動可能量を算出し、算出した有効電力変動可能量と、前記有効電力増加時間と、算出したケース時接続確立とを含む分散電源調整力信頼度を算出する、
ことを特徴とする請求項２に記載の系統運用支援装置。
【請求項４】
前記分散電源評価部により算出されたケース時接続確立がしきい値より高い分散電源を選定し、所定のケースにおける前記電力系統の周波数の変動率を示す周波数変動率を算出し、選定した分散電源について前記電力系統の周波数に寄与する周波数変動率を算出し、前記所定のケースにおける周波数変動率を相殺するように、選定した分散電源の中から分散電源の組み合わせを選定する分散電源選定部を備える、
ことを特徴とする請求項２に記載の系統運用支援装置。
【請求項５】
前記分散電源選定部は、前記所定のケースに対して前記電力系統の周波数が最も落ち込む周波数最低値に到達する時間を周波数最低値到達時間として特定し、前記電力系統の周波数が安定する周波数安定値に到達する時間を周波数安定値到達時間として特定し、前記所定のケースにおける周波数変動率と、選定した分散電源の周波数変動率と、特定した周波数最低値到達時間および周波数安定値到達時間と、予め設定された目標周波数最低値および目標周波数安定値とを制約条件とし、予め設定された目的関数に応じた分散電源の調整力を算出する、
ことを特徴とする請求項４に記載の系統運用支援装置。
【請求項６】
前記系統状態データは、現在の前記電力系統の状態、過去の前記電力系統の状態、予測された前記電力系統の状態、または検証用に想定された前記電力系統の状態の１つ以上である、
ことを特徴とする請求項３に記載の系統運用支援装置。
【請求項７】
前記分散電源グリッドコードには、前記電力系統に接続される分散電源の規定番号、年度、分散電源の発動条件、運転点の有効電力を変動するのに要する時間を示す制御遅れ時間、分散電源の発動により運転点の有効電力が変動された後に前記分散電源の待機が必要となる時間を示すリカバリー時間、前記リカバリー時間の有効電力の比率を示すリカバリー時の有効電力比率の１つ以上が含まれる、
ことを特徴とする請求項３に記載の系統運用支援装置。
【発明の詳細な説明】
【技術分野】
【０００１】
本発明は系統運用支援装置に関し、例えば電力系統への分散電源の導入を支援するための系統運用支援装置に適用して好適なものである。
【背景技術】
【０００２】
電力系統分野においては、再生可能エネルギーをはじめとする分散電源の導入により電力系統の変化が進んでいる。このような分散電源は、従来の電力系統における周波数維持能力を低下させるものとされてきたが、近年では、周波数維持能力の向上に貢献する分散電源の機能が開発されている。このような分散電源の機能を電力市場の一部である調整力として扱う国々もあり、高い注目を浴びている。
【０００３】
近年、電力需給の変動時における周波数維持能力を高く維持し得る電力系統の需給調整方式を提供する技術が開示されている（特許文献１参照）。
【０００４】
例えば、特許文献１には、発電設備としてＳＯＦＣ（Solid Oxide Fuel Cell）が接続された電力系統の需給調整方式であって、電力系統の系統電源線における負荷変動に対する回転体の回転による発電を行う発電設備の出力応答における前記発電機の慣性応答領域に相当する制御をＰＣＳ（Power Conditioning System）による電流制御のみでＳＯＦＣの出力制御を行う第１のモードと、前記出力応答における前記発電機のガバナフリー領域以降に相当する制御をＰＣＳによる電流制御とともに、供給する燃料流量の制御によりＳＯＦＣの出力制御を行う第２のモードとを有する方式が示されている。
【０００５】
また、ウィンドファームを制御することにより電力系統の周波数維持を行う技術が開示されている（特許文献２参照）。
【０００６】
例えば、特許文献２には、ウィンドフォームの制御方法であって、電力系統に連系している１つ以上の風車において、周波数維持目標とウェイク効果とを考慮し、周波数維持に寄与する最適な制御対象を決定する方法が開示されている。
【先行技術文献】
【特許文献】
【０００７】
【特許文献１】特開２０１６−２０８７２３号公報
【特許文献２】国際公開第２０１６／１８４９１５号
【発明の概要】
【発明が解決しようとする課題】
【０００８】
特許文献１では、分散電源のインバータを制御することで電力系統の周波数維持をする。しかしながら、インバータは、電圧変動に弱く、ＦＲＴ（Fault Ride Through）機能を有さないものについては、分散電源が電力系統から切断されてしまうため、周波数維持に寄与できない可能性もあるが、この可能性についての記載はない。
【０００９】
特許文献２では、分散電源の一種であるウィンドファームのピッチなどを制御することで周波数維持へ寄与をする。しかしながら、特許文献１と同様に、周波数維持機能が動作しない可能性については記載されていない。
【００１０】
本発明は以上の点を考慮してなされたもので、周波数維持機能が動作しない可能性を加味して分散電源の導入を行うことができる系統運用支援装置を提案しようとするものである。
【課題を解決するための手段】
【００１１】
かかる課題を解決するため本発明においては、電力系統への分散電源の導入を支援するための系統運用支援装置であって、予め規定されたケースが発生したときの前記電力系統における母線の電圧分布を示すケース時電圧分布と、予め規定された分散電源の連系要件を示す分散電源グリッドコードとに基づいて、各ケースにおいて各分散電源が脱落するか否かを判定する分散電源評価部と、前記分散電源評価部により判定された結果を出力する出力部と、を設けるようにした。
【００１２】
上記構成によれば、各ケースにおいて各分散電源が脱落するか否かが判定された結果が出力されるので、周波数維持機能が動作しない可能性を加味して分散電源の導入を行うことができるようになる。
【発明の効果】
【００１３】
本発明によれば、信頼性の高い電力系統を実現することができる。
【００１４】
上記以外の課題、構成および効果は実施の形態の説明により明らかにされる。
【図面の簡単な説明】
【００１５】
【図１】第１の実施の形態による系統運用支援装置に係る構成の一例を示す図である。
【図２】第１の実施の形態による電力システムの一例を示す図である。
【図３】第１の実施の形態による系統運用支援装置の処理全体を示すフローチャートの一例を示す図である。
【図４】第１の実施の形態による系統状態データのイメージを示す図である。
【図５】第１の実施の形態による想定ケースリストの一例を示す図である。
【図６】第１の実施の形態による系統モデルの一例を示す図である。
【図７】第１の実施の形態によるケース時電圧分布算出処理に係るフローチャートの一例を示す図である。
【図８】第１の実施の形態によるケース時電圧分布算出処理のイメージを示す図である。
【図９】第１の実施の形態によるケース時電圧分布の一例を示す図である。
【図１０】第１の実施の形態による分散電源グリッドコードの一例を示す図である。
【図１１】第１の実施の形態による分散電源調整力信頼度算出処理に係るフローチャートの一例を示す図である。
【図１２】第１の実施の形態による分散電源調整力信頼度の一例を示す図である。
【図１３】第１の実施の形態による分散電源調整力算出処理に係るフローチャートの一例を示す図である。
【図１４】第１の実施の形態による分散電源調整力算出処理のイメージを示す図である。
【図１５】第１の実施の形態による出力の一例を示す図である。
【発明を実施するための形態】
【００１６】
以下図面について、本発明の一実施の形態を詳述する。本実施の形態では、系統運用支援装置を電力系統の運用に適用した事例を示している。
【００１７】
（１）第１の実施の形態
図１において、１００は全体として第１の実施の形態による系統運用支援装置を示す。
【００１８】
図１は、系統運用支援装置１００に係る構成の一例を示す図である。系統運用支援装置１００は、電力系統への分散電源の導入を支援するための装置であり、計算機システムで構成される。図１では、系統運用支援装置１００が保有するデータベース（ＤＢ）と内部における処理機能とをブロック化して示している。
【００１９】
系統運用支援装置１００は、処理機能として、ケース時電圧分布算出部１０１、分散電源評価部１０２、分散電源選定部１０３、および出力部１０４を備える。
【００２０】
系統運用支援装置１００は、内部保有するＤＢとして、系統状態データＤＢ１１１、想定ケースリストＤＢ１１２、系統モデルＤＢ１１３、分散電源グリッドコードＤＢ１１４、市場データＤＢ１１５、分散電源調整力算出パラメータＤＢ１１６、ケース時電圧分布ＤＢ１１７、分散電源調整力信頼度ＤＢ１１８、および分散電源調整力ＤＢ１１９を備える。
【００２１】
上述した構成において、ケース時電圧分布算出部１０１は、例えば、系統状態データＤＢ１１１の系統状態データと想定ケースリストＤＢ１１２の想定ケースリストと系統モデルＤＢ１１３の系統モデルとを入力とし、ケース時電圧分布を算出してケース時電圧分布ＤＢ１１７を形成する。
【００２２】
また、分散電源評価部１０２は、例えば、系統状態データＤＢ１１１の系統状態データと分散電源グリッドコードＤＢ１１４の分散電源グリッドコードとケース時電圧分布ＤＢ１１７のケース時電圧分布とを入力とし、分散電源調整力信頼度を算出して分散電源調整力信頼度ＤＢ１１８を形成する。
【００２３】
また、分散電源選定部１０３は、例えば、市場データＤＢ１１５の市場データと系統モデルＤＢ１１３の系統モデルと分散電源調整力算出パラメータＤＢ１１６の分散電源調整力算出パラメータとを入力とし、分散電源調整力を算出して分散電源調整力ＤＢ１１９を形成する。
【００２４】
また、出力部１０４は、例えば、ＤＢ１１１〜１１９に格納されたデータを出力（表示、ファイル出力、送信など）する。
【００２５】
次に、図２を用いて、系統運用支援装置１００のハードウェア構成と電力系統２１０の構成とについて説明する。
【００２６】
図２は、系統運用支援装置１００と電力系統２１０とを含んで構成される電力システム２００の一例を示す図である。
【００２７】
系統運用支援装置１００は、例えば情報処理装置（コンピュータ）であり、ノートパソコン、サーバ装置等であり、ＣＰＵ（Central Processing Unit）２０１、記憶装置２０２、ＧＰＵ（Graphics Processing Unit）２０３、出力装置２０４、入力装置２０５、および通信装置２０６を備える。各構成要素２０１〜２０６は、バス２０７に接続されている。
【００２８】
ＣＰＵ２０１は、各種の演算を行う。なお、ＣＰＵ２０１は、１つまたは複数の半導体チップとして構成してもよく、計算サーバのようなコンピュータとして構成してもよい。
【００２９】
記憶装置２０２は、ＲＡＭ（Random Access Memory）、ＲＯＭ（Read Only Memory）、ＨＤＤ（Hard Disk Drive）などであり、各処理に必要なプログラム、各処理に必要なデータおよび計算結果データ（ＤＢ１１１〜１１９など）、並びに画像データを記憶する。
【００３０】
記憶装置２０２は、表示用の画像データ、計算結果データ等の計算一時データおよび計算結果データなどを格納する記憶部である。例えば、ＣＰＵ２０１によって必要な画像データが生成されてＧＰＵ２０３によって出力装置２０４（例えば、ディスプレイ）に表示される。
【００３１】
系統運用支援装置１００の機能（ケース時電圧分布算出部１０１、分散電源評価部１０２、分散電源選定部１０３、出力部１０４など）は、例えば、ＣＰＵ２０１がプログラムを記憶装置２０２に読み出して実行すること（ソフトウェア）により実現されてもよいし、専用の回路などのハードウェアにより実現されてもよいし、ソフトウェアとハードウェアとが組み合わされて実現されてもよい。また、系統運用支援装置１００の機能の一部は、系統運用支援装置１００と通信可能な他のコンピュータにより実現されてもよい。
【００３２】
ＧＰＵ２０３は、ＣＰＵ２０１で演算された結果を出力装置２０４で表示するために用いる。なお、ＣＰＵ２０１と同じように、ＧＰＵ２０３を演算処理用に用いてもよい。
【００３３】
出力装置２０４は、例えば、ディスプレイ、プリンタ装置、音声出力装置、携帯端末、ウェアラブル端末の１つ以上として構成される。
【００３４】
入力装置２０５は、例えば、キーボードスイッチ、マウス等のポインティング装置、タッチパネル、タブレット端末、カメラなどを用いた目線推定装置、脳波変換装置、音声指示装置等の少なくともいずれか１つを備えて構成できる。入力装置２０５は、上記以外のユーザーインターフェースであってもよい。
【００３５】
通信装置２０６は、通信ネットワーク２２０に接続するための回路および通信プロトコルを備える。通信装置２０６は、通信ネットワーク２２０を介して電力系統２１０と通信可能に接続される。
【００３６】
電力系統２１０には、一または複数の計測器２１１が含まれる。計測器２１１は、電力系統２１０の各所における計測値を計測し、計測値を、通信ネットワーク２２０を介して、系統運用支援装置１００の通信装置２０６に送信する。ここで、系統運用支援装置１００が受信した計測値は、一時的に保持され、その後、系統状態データＤＢ１１１に記憶保存される。
【００３７】
ここで、計測器２１１の例としては、ＰＭＵ（Phasor Measurement Units）、ＶＴ（Voltage Transformer）、ＰＴ（Power Transformer）、ＣＴ（Current Transformer）、テレメータ（ＴＭ：Telemeter）などの電力系統２１０に設置される計測機器、計測装置などが挙げられる。なお、計測器２１１としては、ＳＣＡＤＡ（Supervisory Control And Data Acquisition）などの電力系統２１０に設置される計測値の集約装置であってもよい。
【００３８】
次に、図３を用いて、系統運用支援装置１００の処理を説明する。
【００３９】
図３は、系統運用支援装置１００の処理全体を示すフローチャートの一例を示す図である。系統運用支援装置１００の処理は、予め指定された時間に行われてもよいし、所定の周期で行われてもよいし、系統運用者からの指示に応じて行われてもよいし、その他の契機で行われてもよい。
【００４０】
ステップＳ３０１では、ケース時電圧分布算出部１０１は、例えば、予め想定されたケースにおける電圧分布をシミュレーションにより算出する（ケース時電圧分布算出処理）。なお、ケース時電圧分布算出処理については、図７を用いて後述する。
【００４１】
ステップＳ３０２では、分散電源評価部１０２は、例えば、分散電源調整力信頼度を算出する（分散電源調整力信頼度算出処理）。なお、分散電源調整力信頼度算出処理については、図１１を用いて後述する。
【００４２】
ステップＳ３０３では、分散電源選定部１０３は、例えば、分散電源調整力を算出する（分散電源調整力算出処理）。なお、分散電源調整力算出処理については、図１３を用いて後述する。
【００４３】
ステップＳ３０４では、出力部１０４は、例えば、各種情報を出力装置２０４に出力する。なお、出力例については、図１５を用いて後述する。
【００４４】
上述した処理を行うことにより、系統運用支援装置１００は、電力系統２１０の系統運用者に対して適切な分散電源、分散電源調整力などを提示することができる。
【００４５】
次に、図４を用いて、系統状態データＤＢ１１１に蓄えられる系統状態データについて説明する。
【００４６】
図４は、系統状態データのイメージを示す図である。系統状態データは、各種の機器、負荷などがどのようなトポロジの電力系統２１０に繋がり、どのような特性を有するかを示すデータである。
【００４７】
系統状態データは、例えば、電力系統２１０からのデータとして、計測器２１１の計測値、計測器２１１のステータスを含む。これらは、電力系統２１０の複数地点から収集されたものであってもよいし、計測器２１１に関する様々な情報を含んでもよい。これらの情報は、計測器２１１の導入日、平均誤差、メーカー、タイプ、製造番号、商品番号、稼働時間、稼働率などを含んでいてもよい。
【００４８】
なお、系統状態データについては、現在の電力系統２１０の状態、過去の電力系統２１０の状態、予測された電力系統２１０の状態、または検証用に想定された電力系統２１０の状態の１つ以上を用いてもよい。
【００４９】
例えば、本実施の形態においては、系統状態データとしては、接続されている発電機４０１の計測値（出力している電力１００ＭＷ、無効電力２０ＭＶａｒなど）、負荷４０２の計測値（需要家が使用している電力１００ＭＷなど）、母線４０３（例えば、変電所）の電圧、送電線４０４の接続状況、分散電源４０５の出力、変圧器４０６のタップポジションなどが用いられる。なお、送電線４０７は、開放されている送電線を示す。
【００５０】
次に、図５を用いて、想定ケースリストＤＢ１１２に格納される想定ケースリストについて説明する。
【００５１】
図５は、想定ケースリストの一例（想定ケースリストテーブル５００）を示す図である。想定ケースリストテーブル５００には、対象とされる電力系統２１０内において、想定される事象を示すケース（なお、本実施の形態では、「想定ケース」と適宜称する。）のリスト（想定ケースリスト）が格納される。想定ケースリストは、例えば、電力系統２１０における送電線の地絡ケース、電力系統２１０の母線における地絡ケース等のケースに対して安定運用できる内容を示す規定である。
【００５２】
次に、図６を用いて、系統モデルＤＢ１１３に格納される系統モデルについて説明する。
【００５３】
図６は、系統モデルの一例（系統モデルテーブル６００）を示す図である。系統モデルテーブル６００には、発電機モデル（例えば、発電機Ａ）の定数（パラメータ）、制御モデル（発電機ＡのＡＶＲ（Automatic Voltage Regulator））の定数、負荷モデル（例えば、負荷Ｆ）の定数、電力系統２１０のルートのインピーダンス、分散電源の等価的なモデルの定数などの系統モデルの情報が格納される。系統モデルにより、一定の条件下で電力系統２１０の潮流などを模擬、更には予測を可能とする。
【００５４】
次に、図７を用いて、ケース時電圧分布算出処理の詳細を説明する。
【００５５】
図７は、ケース時電圧分布算出処理に係るフローチャートの一例を示す図である。
【００５６】
ステップＳ７０１では、ケース時電圧分布算出部１０１は、系統状態データＤＢ１１１の系統状態データと、想定ケースリストＤＢ１１２の想定ケースリストと、系統モデルＤＢ１１３の系統モデルとを読み込む。
【００５７】
ステップＳ７０２では、ケース時電圧分布算出部１０１は、系統状態データから系統モデルの初期状態（例えば、現在の計測器２１１の計測データ）を設定する。
【００５８】
ステップＳ７０３では、ケース時電圧分布算出部１０１は、各ケースをシミュレートし、ケース時電圧分布を算出する。
【００５９】
ステップＳ７０４では、ケース時電圧分布算出部１０１は、算出したケース時電圧分布を出力（例えば、ケース時電圧分布ＤＢ１１７に格納）する。
【００６０】
図８は、ケース時電圧分布算出処理のイメージを示す図である。
【００６１】
ケース時電圧分布算出部１０１は、ステップＳ７０２で設定した初期状態をもとに、ステップＳ７０３では、安定度計算により各ケースの電圧分布を算出する。なお、安定度計算については、公知の計算手法を適宜に採用することができる。
【００６２】
図８では、母線８０１と母線８０２との間の送電線８０３において、地絡ケース８０４が発生した場合を示している。電圧分布８１１〜電圧分布８１５は、地絡ケース８０４の発生時の各母線の電圧低下を示している。このような地絡ケース８０４の発生時の電圧分布８１１〜電圧分布８１５を系統運用支援装置１００上でシミュレートし、ケース毎の電圧分布を算出し、ケース時電圧分布ＤＢ１１７として保有する。
【００６３】
次に、図９を用いて、ケース時電圧分布ＤＢ１１７に格納されるケース時電圧分布について説明する。
【００６４】
図９は、ケース時電圧分布の一例（ケース時電圧分布テーブル９００）を示す図である。
【００６５】
ケース時電圧分布テーブル９００には、上述したように、各ケースにおける電圧分布、すなわちシミュレーション上の電圧が格納される。ケース時電圧分布の保持方法およびフォーマットについては、ケース毎に判別ができればよい。例えば、図９で示すようなテーブルフォーマットでもよいし、何らかのタグがついたデータ構造であってもよい。ケース時電圧分布を算出することにより、例えば、各ケースに対し、電圧がしきい値より低下する箇所と、低下の度合いと、電圧がしきい値より低下している時間（継続時間）とを把握することが可能になる。
【００６６】
次に、図１０を用いて、分散電源グリッドコードＤＢ１１４に格納される分散電源グリッドコードについて説明する。分散電源グリッドコードは、予め規定された分散電源の連系要件を示し、分散電源調整力信頼度算出処理で使用される。
【００６７】
図１０は、分散電源グリッドコードの一例（分散電源グリッドコードテーブル１０００）を示す図である。
【００６８】
分散電源グリッドコードテーブル１０００には、電力系統２１０に接続される分散電源の規定番号、年度、周波数維持能力の発動条件（デッドバンド）、有効電力変動可能比率、有効電力増加時間、制御遅れ時間、発動後のリカバリー時間、リカバリー時の有効電力比率、電圧低下への耐性（ＦＲＴ特性）の有無などの規定（分散電源グリッドコード）が格納される。このような規定は、導入期間が異なる分散電源の周波数維持機能の信頼度、その貢献度を算出するのに用いられる。
【００６９】
規定番号は、電力系統２１０に接続されている分散電源の規定（２０１１年に導入されたときの規定、２０１４年に導入されたときの規定など）を識別可能な識別情報である。デッドバンドは、周波数（５０Ｈｚ、６０Ｈｚなど）に対して動作位置をどれだけ離すかを決めるための情報（例えば、０．２Ｈｚ）である。有効電力変動可能比率は、運転点の有効電力を変動可能な比率を示す。有効電力増加時間は、運転点の有効電力を増加することができる時間を示す。制御遅れ時間は、運転点の有効電力を変動するのに要する時間を示す。リカバリー時間は、運転点の有効電力を変動した後に待機が必要となる時間を示す。リカバリー時の有効電力比率は、リカバリー時間における有効電力の比率（例えば、運転点の有効電力に対する割合）を示す。ＦＲＴ特性は、ケース発生時に短時間に電圧レベルが急激に低下したり、周波数が変動する擾乱が発生したりする場合にも分散電源が停止せずに運転を継続することができるか否かを示す（ケース発生時の分散電源の運転継続性能を示す運転継続性能情報の一例）。
【００７０】
分散電源グリッドコードには、規定番号、年度、デッドバンド、有効電力変動可能比率、有効電力増加時間、制御遅れ時間、リカバリー時間、リカバリー時の有効電力比率、およびＦＲＴ特性の全てが含まれていてもよいし、一部が含まれていてもよい。また、例えば、リカバリー時間、リカバリー時の有効電力比率などは、他の情報から推定されてもよい。
【００７１】
なお、分散電源グリッドコードは、分散電源ごとに設けられてもよいし、分散電源の集合体ごとに設けられてもよい。
【００７２】
次に、図１１を用いて、分散電源調整力信頼度算出処理の詳細を説明する。
【００７３】
図１１は、分散電源調整力信頼度算出処理に係るフローチャートの一例を示す図である。
【００７４】
ステップＳ１１０１では、分散電源評価部１０２は、ケース時電圧分布ＤＢ１１７のケース時電圧分布と、分散電源グリッドコードＤＢ１１４の分散電源グリッドコードと、系統状態データＤＢ１１１の系統状態データとを読み込む。
【００７５】
ステップＳ１１０２では、分散電源評価部１０２は、分散電源グリッドコードとケース時電圧分布とに応じて分散電源のケース時接続確立を算出する。例えば、分散電源評価部１０２は、ケースごとかつ分散電源ごとに、分散電源グリッドコード（例えば、第１の割合まで周波数が低下したとしても何秒以内に第２の割合まで戻れば問題ないことを示す情報）とケース時電圧分布とをもとに、分散電源が脱落するか否か（機能するか機能しないか）を判定（シミュレーション）する。そして、分散電源評価部１０２は、各分散電源について全ケースのうちいくつのケースで機能するかを分散電源のケース時接続確立（分散電源調整力信頼度）として算出する。
【００７６】
ステップＳ１１０３では、分散電源評価部１０２は、分散電源グリッドコードに基づいて各分散電源の調整力可能量を算出する。例えば、分散電源評価部１０２は、発電機が現在１００ＭＷを出力している場合、有効電力変動可能比率「３％」に基づいて有効電力変動可能量「３ＭＷ」を算出したり、リカバリー時の有効電力比率「２０％」に基づいてリカバリー時の有効電力推定値「２０ＭＷ」を算出したりする。
【００７７】
ステップＳ１１０４では、分散電源評価部１０２は、ステップＳ１１０２およびステップＳ１１０３で算出した値を分散電源調整力信頼度として出力（例えば、分散電源調整力信頼度ＤＢ１１８に格納）する。
【００７８】
上述した処理では、例えば、分散電源評価部１０２は、有効電力変動可能比率に系統状態データを適用して有効電力変動可能量を算出し、算出した有効電力変動可能量と、有効電力増加時間と、算出したケース時接続確立とを含む分散電源調整力信頼度を算出して出力する。このように、各分散電源について、有効電力変動可能量と有効電力増加時間とケース時接続確立とをセットとして出力することで、例えば、系統運用者は、各ケースにおいて各分散電源が有効電力に与える影響を容易に把握することができるようになる。なお、分散電源評価部１０２は、ケースごとに分散電源が脱落するか否かを判定した結果を出力してもよい。かかる出力によれば、系統運用者は、例えば、信用できる分散電源を選別できるようになる。
【００７９】
ここで、図１２を用いて、分散電源調整力信頼度ＤＢ１１８に格納される分散電源調整力信頼度について説明する。
【００８０】
図１２は、分散電源調整力信頼度の一例（分散電源調整力信頼度テーブル１２００）を示す図である。
【００８１】
例えば、分散電源調整力信頼度は、ステップＳ１１０２で算出されたケース時接続確立と、ステップＳ１１０３で算出された各分散電源の調整力可能量と、分散電源グリッドコードで照合された各種データとを分散電源（機器）毎または分散電源の集合毎に備える。
【００８２】
ステップＳ１１０３で算出される分散電源調整力可能量とは、分散電源グリッドコードＤＢ１１４と系統状態データＤＢ１１１とから算出される機器毎のデッドバンド、有効電力変動可能量、有効電力増加可能時間、リカバリー時間、リカバリー時の有効電力推定値などである。
【００８３】
また、ケース時接続確立とは、想定されるケースに対し、接続の持続可否の比率を示す。例えば、図１２に示すケース時接続確立（分散電源調整力信頼度）では、ＦＲＴを持つ分散電源Ｒは、想定ケース全てに対して調整力を供給できるため、ケース時接続確立が１００％であり、ＦＲＴを持たない分散電源Ｒ２は、想定ケースの２０％しか接続ができないことが示されている。
【００８４】
分散電源調整力信頼度によれば、ケース時接続確立が高いほど分散電源調整力可能量どおりに分散電源が動作することが分かるので、各分散電源の有効電力の供給可能量と確度とを正確に把握することができる。
【００８５】
次に、図１３を用いて、分散電源調整力算出処理について説明する。
【００８６】
図１３は、分散電源調整力算出処理に係るフローチャートの一例を示す図である。
【００８７】
ステップＳ１３０１では、分散電源選定部１０３は、市場データＤＢ１１５の市場データと、分散電源調整力信頼度ＤＢ１１８の分散電源調整力信頼度と、系統モデルＤＢ１１３の系統モデルと、分散電源調整力算出パラメータＤＢ１１６の分散電源調整力算出パラメータとを読み込む。
【００８８】
ステップＳ１３０２では、分散電源選定部１０３は、ケース時接続確立が所定の値（例えば、ユーザにより指定されたしきい値）より高い分散電源調整力を候補として選択する。
【００８９】
ステップＳ１３０３では、分散電源選定部１０３は、確保済調整力（例えば、現時点の電力系統２１０における発電機の計測値など）を用いて周波数応動シミュレーションをする（あるケースにおける周波数の変動を模擬したベースケースを生成する）。なお、周波数応動シミュレーションについては、公知の技術を適宜に用いることができる。
【００９０】
ステップＳ１３０４では、分散電源選定部１０３は、周波数応動シミュレーションにおける周波数の微分値（周波数変動率）を算出する。
【００９１】
ステップＳ１３０５では、分散電源選定部１０３は、各分散電源について、ベースケースの周波数変動率に与える影響を示す分散電源寄与周波数変動率を算出する。
【００９２】
ステップＳ１３０６では、分散電源選定部１０３は、調整力算出パラメータに含まれる目標周波数最低値および目標周波数安定値と周波数変動率と分散電源寄与周波数変動率とを用いて最適演算により分散電源調整力を算出する。
【００９３】
ステップＳ１３０７では、分散電源選定部１０３は、分散電源調整力を出力（例えば、分散電源調整力ＤＢ１１９に格納）する。
【００９４】
ここで、分散電源調整力算出パラメータＤＢ１１６に格納される分散電源調整力算出パラメータについて説明する。分散電源調整力算出パラメータは、分散電源調整力の算出に必要な目標周波数最低値と目標周波数安定値と目的関数とを含む。分散電源調整力算出パラメータを用いることにより、目的（例えば、コストを最小にする、分散電源の数を最大にする、分散電源の数を最小にする等）に合わせた分散電源調整力を算出することができる。
【００９５】
ここで、図１４を用いて、分散電源調整力算出処理の詳細について説明する。
【００９６】
図１４は、分散電源調整力算出処理のイメージを示す図である。
【００９７】
分散電源調整力算出処理では、電力系統２１０の状態（過去の電力系統２１０の状態、現在の電力系統２１０の状態、または未来の電力系統２１０の状態の１つ以上）と確保済調整力とに基づいて算出されるステップＳ１３０３の周波数応動シミュレーション結果１４０１がベースケースとなる。周波数応動シミュレーション結果１４０１は、あるケースに対して周波数が最も落ち込む周波数最低値と、調整力（発電機の様々な制御系の働き）の影響で周波数が安定する周波数安定値とを有する。
【００９８】
まず、分散電源選定部１０３は、周波数最低値に到達する時間を周波数最低値到達時間ｔ１と定義し、周波数安定値に到達する時間を周波数安定値到達時間ｔ２と定義する。
【００９９】
次に、ステップＳ１３０４では、分散電源選定部１０３は、図１４に示すような周波数の微分値を近似する周波数変動率１４０２を算出する。また、周波数変動率１４０２の積分値１４０３は、ケース発生前からの周波数偏差を表す。
【０１００】
ステップＳ１３０５では、分散電源選定部１０３は、周波数応動シミュレーション結果１４０１から得られる、有効電力の変動分に対する周波数の変動分の感度を用いて、分散電源寄与周波数変動率１４０４，１４０５を算出する。つまり、分散電源選定部１０３は、有効電力の供給タイミング等を指定している分散電源調整力信頼度のパラメータを、シミュレーションにより周波数変動率のデータとして変換したものを分散電源寄与周波数変動率１４０４，１４０５とする。
【０１０１】
ステップＳ１３０６では、分散電源選定部１０３は、以下に示す２つの制約条件を満たす最適化問題を解く。
【数１】
2020028184.tif 000003
2020028184.tif 000004
ここで、dfbase/dt[k]は、周波数変動率（例えば、周波数変動率１４０２）である。dfdra/dt[k]、dfdrn/dt[k]等は、分散電源寄与周波数変動率（例えば、分散電源寄与周波数変動率１４０４，１４０５）である。Δtは、タイムステップである。x1・・・xnは、各分散電源の調整力の確保状態を示す。予め設定された目的の目的関数に対し、上記の最適化問題を解くと、例えば周波数応動１４０６となるように、目標周波数最低値と目標周波数安定値とを満たす分散電源調整力を算出することができる。
【０１０２】
このように、分散電源選定部１０３は、ケース時接続確立がしきい値より高い分散電源を選定し、所定のケース（例えば、ベースケース）における周波数変動率を算出し、選定した分散電源の周波数変動率を算出し、所定のケースにおける周波数変動率を相殺するように、選定した分散電源の中から分散電源の組み合わせを特定する。
【０１０３】
より具体的には、周波数維持能力を上げるように目標周波数最低値（例えば、周波数最低値よりも高い値）と目標周波数安定値（例えば、周波数安定値よりも高い値）とが設定され、目標周波数最低値と目標周波数安定値とを満たす周波数応動となる分散電源の組み合わせ（分散電源調整力）を求める。かかる構成によれば、例えば、系統運用者は、周波数維持能力を上げる分散電源を把握できるようになる。
【０１０４】
図１５は、出力部１０４による出力の一例を示す図である。
【０１０５】
出力装置２０４は、例えば、コントロールセンター内の系統運用者が見るものである。出力装置２０４は、系統状態データＤＢ１１１、想定ケースリストＤＢ１１２、市場データＤＢ１１５、分散電源調整力ＤＢ１１９等のデータを表示するＧＵＩ（Graphical User Interface）を具備する。これらのデータは、表１５００として表示されてもよいし、電力系統図１５０１の上に表示されてもよいし、ログとして表示されてもよいし、地図上に表示されてもよい。
【０１０６】
図１５に示す例では、表１５００には分散電源調整力の一例が示され、例えば、分散電源「１」については、１．２Ｈｚの発生源で１５ＭＷ出力することで周波数維持に貢献できることが示されている。
【０１０７】
ここで、出力される内容は、図１５に示す内容に限られるものではない。例えば、分散電源調整力が出力（算出）されることなく、分散電源のケース時接続確立が表示されてもよいし、分散電源のケース時接続確立が出力（算出）されることなく、ケースごとの分散電源の脱落の判定結果が表示されてもよい。
【０１０８】
ここで、本実施の形態の効果について説明する。分散電源による調整力は、個別の機器が導入された際の規定などに基づき、必ずしも調整力として機能するとは限らなく、また調整力がある場合においても性能が電力系統２１０の状態によって違う。系統運用支援装置１００では、このような分散電源の分散電源調整力信頼度を想定ケースに対して電圧分布に応じて算出し、この分散電源調整力信頼度に基づいた最適化問題を解くことにより、電力系統２１０の運用の周波数維持に貢献できる分散電源の演算が可能になる。これにより、分散電源が周波数に貢献する価値が目的に応じて明確化されるので、例えば、系統運用者は、電力系統２１０の運用時に、分散電源を円滑に導入することができる。
【０１０９】
（２）他の実施の形態
なお上述の実施の形態においては、本発明を系統運用支援装置に適用するようにした場合について述べたが、本発明はこれに限らず、この他種々のシステム、装置、方法、プログラムに広く適用することができる。
【０１１０】
また上述の実施の形態においては、出力部１０４は、出力装置２０４に出力する場合について述べたが、本発明はこれに限らず、出力部１０４は、系統運用支援装置１００と通信可能な他の出力装置に出力するようにしてもよい。
【０１１１】
また上述の実施の形態においては、説明の便宜上、ＸＸテーブル、ＸＸＤＢを用いて各種のデータを説明したが、データ構造は限定されるものではなく、ＸＸ情報などと表現してもよい。
【０１１２】
また、上記の説明において各機能を実現するプログラム、テーブル、ファイル等の情報は、メモリや、ハードディスク、ＳＳＤ（Solid State Drive）等の記憶装置、または、ＩＣカード、ＳＤカード、ＤＶＤ等の記録媒体に置くことができる。
【０１１３】
また上述した構成については、本発明の要旨を超えない範囲において、適宜に、変更したり、組み替えたり、組み合わせたり、省略したりしてもよい。
【０１１４】
上述した構成によれば、信頼性の高い電力系統を実現することができる。
【符号の説明】
【０１１５】
１００……系統運用支援装置、１０１……ケース時電圧分布算出部、１０２……分散電源評価部、１０３……分散電源選定部、１０４……出力部。
【図１】
2020028184.tif 000005
【図２】
2020028184.tif 000006
【図３】
2020028184.tif 000007
【図４】
2020028184.tif 000008
【図５】
2020028184.tif 000009
【図６】
2020028184.tif 000010
【図７】
2020028184.tif 000011
【図８】
2020028184.tif 000012
【図９】
2020028184.tif 000013
【図１０】
2020028184.tif 000014
【図１１】
2020028184.tif 000015
【図１２】
2020028184.tif 000016
【図１３】
2020028184.tif 000017
【図１４】
2020028184.tif 000018
【図１５】
2020028184.tif 000019